(57)【要約】【課題】コップ本体にカバーを付けることによって、肉厚以上の断熱効果が得られ、しかも、片手で持ち易いカ飲料用簡易コップを提供すること。【解決手段】コップ本体とその外側に嵌合するカバーとが変形可能な薄肉のプラスチックから形成され、カバーは、コップ本体を覆う周壁と底壁とを備え、周壁は、コップ本体に密接する接触部と、コップ本体から離隔する非接触部を備え、底壁は、接触部と非接触部のうち少なくとも一方を備え、周壁の接触部は、コップ本体の上端部全周に亘る上端接触部と、上端接触部から下側に離隔した位置において周方向に間隔をあけて設けられる中接触部を備え、周壁の非接触部は、上端接触部の下側においてコップ本体の上部全周に亘る上非接触部と、上非接触部から下側に連続し隣り合う中接触部の間に設けられる中非接触部を備える飲料用簡易コップ。【選択図】      図１
2014125260.tif 000002
【特許請求の範囲】
【請求項１】
コップ本体とその外側に嵌合するカバーとが変形可能な薄肉のプラスチックから形成され、
カバーは、コップ本体の胴部及び底面部を外側から覆う周壁と底壁とを備え、
周壁は、コップ本体に密接する接触部と、コップ本体から離隔する非接触部を備え、
底壁は、接触部と非接触部のうち少なくとも一方を備え、
周壁の接触部は、コップ本体の上端部全周に亘る上端接触部と、上端接触部から下側に離隔した位置において周方向に間隔をあけて設けられる中接触部を備え、
周壁の非接触部は、上端接触部の下側においてコップ本体の上部全周に亘る上非接触部と、上非接触部から下側に連続する中非接触部を備え、中非接触部を周方向に隣り合う中接触部の間に設け、
上非接触部と、その下において周方向に隣り合う一対の中非接触部と、当該一対の中接触部の間に位置する中接触部によって、溝部が下向きに延長して形成されることを特徴とする飲料用簡易コップ。
【請求項２】
周壁の下端部は、コップ本体よりも下側に延長すると共に、コップ本体の下端部全周に亘る下端非接触部であり、
底壁は、非接触部のみから構成されることを特徴とする請求項１記載の飲料用簡易コップ。
【請求項３】
周壁の接触部は、中接触部よりも下側において設けられる下接触部を備えていることを特徴とする請求項１又は２記載の飲料用簡易コップ。
【請求項４】
下接触部は、コップ本体の全周に亘って設けられることを特徴とする請求項３記載の飲料用簡易コップ。
【請求項５】
コップ本体の下端部とカバーの下端部とに、両下端部を連結するための凹部と凸部からなるスナップ式の連結部が設けられ、
凸部は、コップ本体の底面部と、底面部に向かって末広がりのテーパ状となる胴部下端部とを備えるもので、
凹部は、カバーの底壁と、底壁へ向かって末広がりのテーパ状となる周壁下端部とを備えるものであることを特徴とする、請求項１、２、３又は４記載の飲料用簡易コップ。
【発明の詳細な説明】
【技術分野】
【０００１】
本発明は、コップ本体の外側をカバーで覆った飲料用簡易コップに関する。
【背景技術】
【０００２】
飲食店や自動販売機、或いはイベント会場や野球場等では、飲料をテーパ状のコップに入れて提供することがある。このような用途に用いられるコップは、俗に言う使い捨てにされることが多いため、安価で少資源の観点から、通常、薄い紙や薄肉のプラスチックで形成されている変形可能なものが多い。以下、この種の薄肉で変形可能な飲料用のコップを簡易コップと言う。因みに、簡易コップは本発明ではコップ本体に相当する。
【０００３】
ところで、簡易コップに注がれる飲料は、通常、季節に応じて熱かったり、冷たかったりする。しかしながら、簡易コップは、薄いので、保温性、保冷性がなく、飲料の温度が短時間で大幅に変化する。特に、冷たい飲料等の場合には、手の平の熱が簡易コップから飲料に伝わるので、より短時間でぬるくなってしまう。また、飲料の熱さや冷たさが、薄い簡易コップを通して手の平に伝わると、不快な場合もある。
【０００４】
そこで、手の平に伝わる不快感を解消するコップホルダー（カバー）として、波板型或いはエンボス加工した紙を平らな紙に貼り合わせた帯状の紙を用い、テーパ状に形成したもの（紙製品）が公知となっている（特許文献１）。
【０００５】
また、保温性、保冷性のある缶飲料等のホルダー（カバー）として、発泡プラスチック又は発泡ゴムからなる弾性を有する断熱板を用いたものが公知となっている（特許文献２）。
【先行技術文献】
【特許文献】
【０００６】
【特許文献１】特開２０００−２２９６７７号公報
【特許文献２】実開平２−１０５８２７号公報
【発明の概要】
【発明が解決しようとする課題】
【０００７】
しかしながら、何れも十分な断熱効果が得られない。より詳しく言えば、帯状の紙を用いたコップホルダーの場合、平面視すると、簡易コップの外側を内側（波板型）の紙が波打つように取り囲む形態で使用される。そうすると、波板型の紙の頂部（内側部）は簡易コップに接しても、紙の底部（外側部）は簡易コップから離れてしまう。そして、簡易コップとの間に形成される空間が上下方向に貫通していることになり、簡易コップから伝わる熱がそのまま上下方向に逃げていってしまう。
【０００８】
また、発泡プラスチック等の断熱板の場合、断熱効果は、断熱板の中に形成される気泡の容積に依存するので、十分な断熱効果を得るには、１個あたりの材料を増やして断熱板の肉厚を厚くしなければならない。
【０００９】
因みに、簡易コップは、通常、片手で持つものであり、うっかりすると、手が滑って、飲料がこぼれることもあり、できるだけ持ち易いことが望まれる。
【００１０】
本発明は、上記実情を考慮したもので、片手で持ち易く、肉厚以上の断熱効果が得られるカバーの付いた飲料用簡易コップを提供することを目的とする。
【課題を解決するための手段】
【００１１】
本発明の飲料用簡易コップは、コップ本体とその外側に嵌合するカバーとが変形可能な薄肉のプラスチックから形成され、カバーは、コップ本体の胴部及び底面部を外側から覆う周壁と底壁とを備え、周壁は、コップ本体に密接する接触部と、コップ本体から離隔する非接触部を備え、底壁は、接触部と非接触部のうち少なくとも一方を備え、周壁の接触部は、コップ本体の上端部全周に亘る上端接触部と、上端接触部から下側に離隔した位置において周方向に間隔をあけて設けられる中接触部を備え、周壁の非接触部は、上端接触部の下側においてコップ本体の上部全周に亘る上非接触部と、上非接触部から下側に連続する中非接触部を備え、中非接触部を周方向に隣り合う中接触部の間に設け、上非接触部と、その下において周方向に隣り合う一対の中非接触部と、当該一対の中接触部の間に位置する中接触部によって、溝部が下向きに延長して形成されることを特徴とする。
【００１２】
カバーの周壁は非接触部の周囲を接触部が取り囲むようになっており、この非接触部とコップ本体との間に断熱空間が外部と隔絶された状態で形成される。
カバーの周壁の下端部がコップ本体と略同じ高さ位置である場合には、底壁は、コップ本体の底面に重なるものとなるが、より断熱効果を高めるには、次のようにすることが望ましい。
すなわち、周壁の下端部は、コップ本体よりも下側に延長すると共に、コップ本体の下端部全周に亘る下端非接触部であり、底壁は、非接触部のみから構成されることである。
【００１３】
周壁の接触部は、少なくとも上端接触部と中接触部を備えていれば良いが、カバーとしての剛性を向上させるには、次のように、コップ本体との接触箇所をより増やすことが望ましい。
すなわち、周壁の接触部は、中接触部よりも下側において設けられる下接触部を備えていることである。
【００１４】
カバー周壁の下接触部は、コップ本体と密接することにより、カバーとしての剛性を向上させ、コップを持った際にも非接触部がコップ本体から離隔した状態を保ちやすくする。この下接触部は、コップ本体の周方向に連続することなく設けられていても良いが、カバーとしての剛性を向上させるには、次のようにすることが望ましい。
すなわち、下接触部は、コップ本体の全周に亘って設けられることである。
【００１５】
なお、コップ本体とカバーとを強固に一体化するには次のようにすることが望ましい。  すなわち、コップ本体の下端部とカバーの下端部とに、両下端部を連結するための凹部と凸部からなるスナップ式の連結部が設けられ、凸部は、コップ本体の底面部と、底面部に向かって末広がりのテーパ状となる胴部下端部とを備えるもので、凹部は、カバーの底壁と、底壁へ向かって末広がりのテーパ状となる周壁下端部とを備えるものとすることである。
【発明の効果】
【００１６】
本発明の飲料用簡易コップによれば、カバー周壁の非接触部とコップ本体との間に断熱空間が形成され、この断熱空間はカバー周壁の接触部により外部と隔絶されることから、薄肉のプラスチック製カバーでありながら肉厚以上の十分な保温効果が得られる。しかも、断熱空間は、カバー周壁の上非接触部の高さ範囲においては、環状であり、コップ本体の外周を取り囲むようになるので、保温性に優れたものである。また、コップ本体に対してカバーの接触部が密接することによりコップ全体としての剛性が高まる。
【００１７】
さらに、カバー周壁については、上非接触部を環状に設け、その下端から恰も櫛歯状に複数の中非接触部を下降させ、隣り合う中非接触部の間に中接触部を設けてあるので、溝部が下向きに延長して形成されることになり、溝部によって周方向については中接触部と中非接触部との間に窪みが形成され、高さ方向（上下方向）については上非接触部の下側であって中非接触部の位置に窪みが形成される。これら窪みによって本発明の飲料用簡易コップを持つ際に、指が周方向と高さ方向に引っかかり易くなり、不意に手が滑って飲料用簡易コップが落下することを防ぎ易くなる。
【００１８】
また、カバー周壁にコップ本体よりも下側に延長する下端接触部を設け、カバー底壁を非接触部のみにすれば、コップ本体の底に断熱空間が形成されることになり、より保温効果が高くなる。しかも、コップ本体の中に冷たい飲料を入れた場合であっても、底側に断熱空間のある本発明の飲料用簡易コップであれば、その底面には結露水が発生しづらくなる。
【００１９】
さらに、周壁の接触部に中接触部よりも下側において設けられる下接触部を備えていれば、コップ本体にカバーが重なる箇所が増え、カバーの剛性が向上し、カバーを持っても変形し難くなる。
【００２０】
また、カバーにコップ本体の全周に亘る下接触部を備えた飲料用簡易コップであれば、コップ本体の下側全周に亘ってカバーが重なることになり、カバーの剛性が向上し、カバーを持っても変形し難くなる。
【００２１】
さらに、コップ本体の下端部とカバーの下端部とに、両下端部を連結するための凹部と凸部からなるスナップ式の連結部を設けておけば、下方へ向けて末広がりとなる凹部と凸部によって、両下端部もプラスチックの弾性を利用して連結されるので、コップ本体とカバーとは強固に一体化される。
【図面の簡単な説明】
【００２２】
【図１】本発明による第１実施形態の飲料用簡易コップを示す斜視図である。
【図２】（Ａ）は第１実施形態の飲料用簡易コップを示す正面図、（Ｂ）は平面図、（Ｃ）はＡ−Ｂ−Ｃ線切断部断面図、（Ｄ）はＤ−Ｄ線切断部端面図、（Ｅ）はＥ−Ｅ線切断部端面図である。
【図３】コップ本体とカバーを分解して示す切断部端面図である。
【図４】コップ本体とカバーを一体化した状態を示す切断部断面図である。
【図５】（Ａ）は本発明による第２実施形態の飲料用簡易コップを示す正面図、（Ｂ）は図２（Ｃ）と同様の切断線による切断部断面図である。
【図６】（Ａ）は本発明による第３実施形態の飲料用簡易コップを示す正面図、（Ｂ）は図２（Ｃ）と同様の切断線による切断部断面図である。
【図７】本発明による第４実施形態の飲料用簡易コップを示す、図２（Ｃ）と同様の切断線による切断部断面図であって、一部を拡大してある。
【発明を実施するための形態】
【００２３】
本発明の第１実施形態の飲料用簡易コップ１は、図１〜図４に示すように、テーパ状のコップ本体２と、コップ本体２の外側を覆うカバー３を備えている。
【００２４】
コップ本体２は、プラスチック製の簡易コップであって、硬直性を有しながらも変形可能なもの、つまり強く持つと凹んで変形し力を解放すると元の形状に復元する程度の薄肉のプラスチック製である。また、コップ本体２は、全体としては円筒状の胴部２１と、胴部２１の下端を塞ぐ円盤状の底面部２２を備えている。
【００２５】
胴部２１は、円筒状で且つ下方に向かうにつれて主に半径が徐々に小さくなるテーパ状を成し、上端には半径方向外側に張り出すリング状のフランジ部２１ｄを備え、下部には、階段状に小径（半径方向内側に突出する）となる段部２１ｂと、該段部２１ｂの内周縁全周から垂下する裾胴部２１ｃを備えている。因みに、フランジ部２１ｄと段部２１ｂとの間に位置する部分が胴部２１の大半を構成する胴部本体２１ａであり、一定の角度で傾斜するテーパ状となっている。
【００２６】
カバー３は、コップ本体２と同様に、薄肉のプラスチック製であって、硬直性を有しながらも変形可能なものである。また、カバー３の厚みは、一例として挙げた変形可能なコップ本体２と同様で、例えば１ｍｍ以下であり、望ましくは０．２ｍｍ〜０．５ｍｍである。
【００２７】
カバー３は、コップ本体胴部２１の外側（主に外周面）を覆う周壁４と、コップ本体底面部２２を覆う底壁６を備えている。
【００２８】
周壁４は、全体的に見れば円筒状であって且つ下に向かうにつれて半径が小さくなるテーパ状を成し、コップ本体２に密接する接触部と、コップ本体２から離隔する非接触部を備えている。
【００２９】
周壁４の接触部は、上から下へ向かって順に、上端接触部４１と、中接触部４２と、下接触部４３を備えている。
【００３０】
上端接触部４１は、上下方向に幅のあるリング状を成し、コップ胴部２１の上端部全周に亘って面接触する態様で密接する。
【００３１】
中接触部４２は、上下方向に延長する短冊状であって、コップ胴部２１の中間部においてその周方向に間隔（等間隔）をあけて複数設けられており、しかも、上端接触部４１から下側に離れた位置（後述する上非接触部５１の下側）において、コップ胴部２１の高さ中間部において周方向に間隔をあけて面接触する態様で密接している。
【００３２】
下接触部４３は、中接触部４２よりも下側に設けられ、図示の例では、上下に分離して設けられており、上側の第１下接触部４３ａと、下側の第２下接触部４３ｂとを備えている。因みに、第１下接触部４３ａと第２下接触部４３ｂとの間には、追って詳述する下非接触部５３が設けられている。
【００３３】
第１下接触部４３ａは、上端接触部４１よりも上下方向の幅が狭いリング状であって、コップ本体段部２１ｂから上側においてコップ胴部２１の下部全周に亘って面接触する態様で密接している。
第２下接触部４３ｂは、円周状であって、コップ胴部２１の下端の全周に亘って線接触する態様で密接している。
【００３４】
前記した接触部に対し周壁４の非接触部は、上から下へ向かって順に、上非接触部５１と、中非接触部５２と、下非接触部５３と、下端非接触部５４を備えている。
【００３５】
上非接触部５１は、上端接触部４１よりも上下方向に幅のあるリング状であって、コップ胴部２１の上部（コップ本体２の全長の１／２よりも上側）において半径方向外側に膨らむ態様で設けられる。但し、図示の例では、上非接触部５１の外径は、最も半径方向外側に位置する部分であっても、コップ本体フランジ部２１ｄの外径以下となっている。
【００３６】
また、上非接触部５１は、上から下へ向かって順に、第１上非接触部５１ａと、第２上非接触部５１ｂと、第３上非接触部５１ｃとを連続して備えている。但し、第１、第２上非接触部５１ａ、５１ｂは何れも上下方向に幅のあるリング状であって、コップ胴部２１の上部においてその全周に亘って設けられているが、第３上非接触部５１ｃは、第２上非接触部５１ｂに対して周方向に間隔（等間隔）をあけて（断続的に）設けられており、この設けられた位置は、周方向に隣り合う中接触部４２、４２の間の位置である。
【００３７】
第１上非接触部５１ａは、上端接触部４１の下端から下に向かうにつれて半径が徐々に大きくなる末広がり状のテーパ状であって、コップ胴部２１に対して下に向かうにつれて徐々に離れていく。第１上非接触部５１ａの下端が、半径方向外側に最も突出する部分である。
【００３８】
第２上非接触部５１ｂは、コップ胴部２１に対して略平行に形成されている。
【００３９】
第３上非接触部５１ｃは、第２上非接触部５１ｂの下端から下に向かうにつれて徐々にコップ胴部２１に対して近づいていく傾斜部分である。この傾斜部分及びその下に連続する中接触部４２の部分が上下方向の窪みとなって、指が引っ掛かり易くなる。
【００４０】
中非接触部５２は、周方向に間隔（等間隔）をあけて隣り合う中接触部４２、４２の間に上非接触部５１（第２上非接触部５１ｂ）から下側に延長して設けられる。従って、これら複数の中非接触部５２は、リング状である上非接触部５１から恰も櫛歯状に垂下している。また、中非接触部５２は、全体として上下方向に延びる短冊状であって、中非接触部本体５２ａと、中非接触部本体５２ａの周り（周方向両側及び下方）を囲む枠壁５２ｂとを備える。
【００４１】
中非接触部本体５２ａは、第２上非接触部５１ｂから下側に延長し、コップ胴部２１に対して略平行を成し、短冊状に設けられている。
【００４２】
枠壁５２ｂは、上向きに開口するコの字の枠状であって、中非接触部本体５２ａの三辺（周方向両辺及び下辺）からコップ本体２へ向かって末広がり状に傾斜する部分である。この枠壁５２ｂの周方向から傾斜する部分及びその隣りの中接触部４２の部分が周方向の窪みとなって、指が引っ掛かり易くなる。因みに、この周方向の窪みと前記した上下方向の窪みによって溝部４Ｘが形成される。つまり、上非接触部５１（第３上非接触部５１ｃ）とその下において周方向に隣り合う一対の中非接触部５２、５２（枠壁５２ｂ、５２ｂ）と当該一対の中接触部の間に位置する中接触部４２によって溝部４Ｘが下向きに延長して形成される。この溝部４Ｘの周方向の幅は、２ｃｍ以下が望ましい。なお、枠壁５２ｂのコの字の両端（上端両側）は、その周方向の隣りに第３上非接触部５１ｃが位置しており、これら枠壁５２ｂと第３上非接触部５１ｃとは連続して設けられている。このように、周方向に交互に連続して設けられる枠壁５２ｂと第３上非接触部５１ｃは、コップ本体２から半径方向外側に離れていく部分を形成している。
【００４３】
下非接触部５３は、上端接触部４１と同等に上下方向に幅のあるリング状であって、半径が下に向かうにつれて小さくなる尻すぼみ状のテーパ状である。そして、下非接触部５３は、下接触部４３の第１下接触部４３ａと第２下接触部４３ｂの間に設けられる。
【００４４】
下端非接触部５４は、上端接触部４１よりも上下方向に幅の狭いリング状であって、半径が下に向かうにつれて小さくなる尻すぼみ状のテーパ状である。そして、下端非接触部５４は、コップ胴部２１の下端（第２下接触部４３ｂ）よりも下方に設けられる。
【００４５】
底壁６は、円盤状であって、コップ本体２の底面部２２と同様にその中央部が上げ底となっている。
【００４６】
前記したカバー３をコップ本体２の半径方向外側に嵌め合わせれば、図４に示すように、プラスチックの弾性によって両者が嵌合し、第１実施形態の飲料用簡易コップ１が完成する。この飲料用簡易コップ１は、カバー３の非接触部とコップ本体２との間に空間を形成し、この空間は、コップ本体２とカバー３の接触部との密接によって外部と隔絶されることから、断熱空間となる。
【００４７】
断熱空間は、カバー３の上非接触部５１の内側に形成される上断熱空間Ｓ１と、各中非接触部５２の内側に形成される中断熱空間Ｓ２と、下非接触部５３の内側に形成される下断熱空間Ｓ３と、底壁６の上側に形成される底断熱空間Ｓ４とから構成される。このようにコップ本体２の外周面及び底面に断熱空間Ｓ１〜Ｓ４が形成されることから、非常に断熱効果の高いものとなる。また、カバー３の内面又は外面に銀色の薄膜を形成すれば、断熱効果をより向上させることもできる。
【００４８】
その上、カバー３の上非接触部５１は、コップ本体２よりも半径方向外側に膨らむ状態で設けられているので、コップ全体としての半径方向の寸法が大きくなり、外観が重厚となる。しかも、カバー３の最も外側に膨らむ部分（第１上非接触部５１ａ）の外径が、コップ本体２のそれ（フランジ部２１）以下であるので、寸法をコンパクトに保ちながらも、重厚な外観を与えられる。因みに、図示のように、カバー３の上端接触部４１の上端がコップ本体２のフランジ部２１ｄに接して位置決めするものであれば、カバー３が抜け外れるおそれは無い。
【００４９】
また、コップ本体２がプラスチック製の簡易コップであるにも関わらず、薄肉同士の簡易コップとカバー３の接触部とが重なり合うことにより、全体としての剛性が向上し、しっかりと持っても変形し難くなる。なお、コップ本体２及びカバー３が透明である場合には、その中の液体を外部から透視することができる。
【００５０】
本発明の第２実施形態の飲料用簡易コップ１は、図５に示すように、カバー３の上部において、第１実施形態のものと相違する。より詳しく言えば、カバー３の上部、つまり周壁４の上部であって上端接触部４１及びその下に位置する上非接触部５１は、口径を一定に保持した円筒状に元々形成されている。因みに、カバー３は、上非接触部５１よりも下側においては、第１実施形態と同じである。
【００５１】
そして、カバー３をコップ本体２の外側に嵌め合わせると、上端接触部４１は、コップ本体２のテーパ状に沿って押し広げられるように変形し、下に向かうにつれて尻すぼまりのリング状となってコップ本体２に密接する。また、上非接触部５１は、元々の形状（口径を一定に保持したリング状）を保持しながら、コップ本体２との間に上断熱空間Ｓ１を、第１実施形態のそれよりも小さく形成する。従って、上非接触部５１は、第１実施形態での第１上非接触部５１ａ（下に向かうにつれて末広がり状に大きくなるテーパ状の部分）が無く、第２上非接触部５１ｂが口径を一定に保持したリング状となり、第３上非接触部５１ｃが第１実施形態と同様に下に向かうにつれて徐々にコップ胴部２１に対して近づいていく傾斜部分となる。なお、上断熱空間Ｓ１が小さくなっても、コップ本体２に液体が注がれた場合に、液体の上部の部分については通常早めに飲まれてなくなるので、保温効果に影響をあまり与えない。
【００５２】
本発明の第３実施形態の飲料用簡易コップ１は、図６に示すように、カバー３の周壁４全体において、第１実施形態のものと相違する。より詳しく言えば、周壁４の上部であって上端接触部４１、上非接触部５１及びその下に位置する中非接触部５２は、一定の角度で傾斜するテーパ状に元々形成されている。但し、この傾斜角度は、コップ本体２（コップ胴部２１）のそれよりも緩やかに（口径の変化率が小さいものと）なっている。しかも中非接触部５２は、コップ胴部２１の下端よりも下側にまで達するようになっている。また、周壁４の接触部は、第１実施形態での下接触部４３が無く、中接触部４２及びその周方向に隣り合う中非接触部５２の下端に下端非接触部５４が連続する形態となっている。
【００５３】
そして、カバー３をコップ本体２の外側に嵌め合わせると、上端接触部４１は、コップ本体２の急な勾配の付いたテーパ状に沿って押し広げられるように変形し、元々の傾斜角度よりも急角度のテーパ状となってコップ本体２に密接する。また、上非接触部５１は、元々のテーパ状を保持しながらコップ本体２との間に上断熱空間Ｓ１を、第２実施形態のそれよりもさらに小さく形成する。また、中非接触部５２は、コップ本体２との間に中断熱空間Ｓ２を第１実施形態のそれよりも大きく形成する。さらに、中接触部４２の下部が、コップ胴部２１の段部２１ｂを含む高さ範囲（より詳しくは、コップ胴部２１よりも下側の範囲）に設けられており、段部２１ｂの直ぐ下側及びコップ胴部２１よりも下側の部分においては接触しないことになる。このように中断熱空間Ｓ２をコップ本体２の下に達するまで設けることにより、コップ本体２の下側に残る液体に対しての保温効果を強化することができる。
【００５４】
本発明の第４実施形態の飲料用簡易コップ１は、図７に示すように、コップ本体２とカバー３を連結するスナップ式の連結部７が設けられていることにおいて、第３実施形態のものと相違する。より詳しく言えば以下の通りである。
【００５５】
カバー３の周壁４は、その上端には半径方向外側に突出するフランジ部４ｄを備えている。因みに、フランジ部４ｄよりも下側の部分は、周壁本体部であり、全体的には下方へ向かうにつれて尻窄まり状となるテーパ状である。
【００５６】
周壁本体部は、全体として下方へ向かうにつれて尻窄まり状となるテーパ状の上周壁部４ａと、上周壁部４ａの下端から半径方向内側に向かって突出する段部４ｂと、この段部４ｂの半径方向内側から下方へ向かうにつれて末広がり状となる逆テーパ状の裾周壁部４ｃとから構成される。裾周壁部４ｃ（胴部２１下端部）と底壁６が凹部７ａとなる。また、底壁６と裾周壁部４ｃと段部４ｂとによって、段付き状の凹部７ａとなる。
【００５７】
一方、コップ本体２の段部２１ｂの半径方向内側から下方に連続する裾胴部２１ｃが、下方へ向かうにつれて末広がり状となる逆テーパ状に形成される。裾胴部２１ｃ（コップ本体２下端部）と底面部２２とによって凸部７ｂとなる。また、底面部２２と裾胴部２１ｃと段部２１ｂとによって、段付き状の凸部７ｂとなる。
【００５８】
これら凹部７ａと凸部７ｂとによって連結部７が形成され、凹部７ａの内側に凸部７ｂがプラスチックの弾性を利用してスナップ式に嵌合することによって、コップ本体２とカバー３とが強固に一体化される。このとき、コップ段部２１ｂの下にカバー段部４ｂが接触する状態となることにより、これ以上、コップ本体２に対してカバー３が深く嵌り込めなくなるストッパーの役割を果たしており、コップ底面部２２とカバー底壁６との間に底断熱空間Ｓ４を確保してある。因みに、カバー周壁４（上周壁部４ａ）の上端部が、コップ胴部２１（上胴部２１ａ）の上端部に線接触する状態で密接していると共に、カバーフランジ部４ｄが、コップフランジ部２１ｄの真下に面接触する状態で密接している。この密接部分を構成するカバー周壁４の上端部が、上端接触部４１となると共に、この密接部分も、前記したストッパーの役割を果たしている。
【００５９】
本発明は上記実施形態に限定されるものではない。例えば、カバー３は、下端非接触部５４の無い形態であってもよく、この場合には、底壁６をコップ本体２の底面部２２に密接させる形状とすることもできる。また、コップ本体２は、段部２１ｂのない形状、つまり上下方向全体に亘って一定の角度で傾斜するテーパ状であっても良い。
【００６０】
なお、凹部７ａと凸部７ｂとは、段部４ｂ、２１ｂの無い形状であっても良い。また、凹部７ａの段部４ｂと、凸部７ｂの段部２１ｂは、各々半径方向外側に突出する（上周壁部４ａと、胴部本体２１ａから半径方向外側に突出する）ものであっても良い。
【符号の説明】
【００６１】
１飲料用簡易コップ
２コップ本体
２１胴部
２１ａ胴部本体、２１ｂ段部、２１ｃ裾胴部、２１ｄフランジ部
２２底面部
３カバー
４周壁
４ａ上周壁部、４ｂ段部、４ｃ裾周壁部、４ｄフランジ部
４Ｘ溝部
４１上端接触部
４２中接触部
４３下接触部、４３ａ第１下接触部、４３ｂ第２下接触部
５１上非接触部、５１ａ第１上非接触部、５１ｂ第２上非接触部、５１ｃ第３上非接触部
５２中非接触部、５２ａ中非接触部本体、５２ｂ枠壁
５３下非接触部
５４下端非接触部
６底壁
７連結部
７ａ凹部
７ｂ凸部
Ｓ１上断熱空間
Ｓ２中断熱空間
Ｓ３下断熱空間
Ｓ４底断熱空間
【図１】
2014125260.tif 000003
【図２】
2014125260.tif 000004
【図３】
2014125260.tif 000005
【図４】
2014125260.tif 000006
【図５】
2014125260.tif 000007
【図６】
2014125260.tif 000008
【図７】
2014125260.tif 000009